(57)【特許請求の範囲】
【請求項１】
外部装置に画像データを送信する通信デバイスを制御することが可能な撮像装置であって、
撮影モードを設定する撮影モード設定手段と、
前記撮影モードに基づき被写体を撮影し、画像データを得る撮像手段と、
前記撮像手段により得られた画像データを記録媒体に記録する記録手段と、
ユーザから、撮影準備指示または撮影指示を受け付ける操作手段と、
前記通信デバイスの通信機能を制御する制御手段とを有し、
前記撮影モード設定手段により、前記操作手段による操作に応じて前記撮像手段による撮影を開始する第１の撮影モードが設定されている場合、前記制御手段は、前記操作手段により撮影準備指示または撮影指示を受け付けたことに応じて前記通信デバイスの通信機能を無効にするよう制御し、
前記撮影モード設定手段により、前記操作手段による撮影準備指示または撮影指示を受け付けつけることなく前記撮像手段による撮影を開始する第２の撮影モードが設定されている場合、前記制御手段は、前記第２の撮影モードに移行したことに応じて前記通信デバイスの通信機能を無効にするよう制御することを特徴とする撮像装置。
【請求項２】
前記制御手段の制御により前記通信デバイスの通信機能を無効にした後に、前記撮像手段により得られた画像データが記録媒体に記録された場合、前記制御手段は前記通信デバイスの通信機能を有効にするよう制御する請求項１に記載の撮像装置。
【請求項３】
前記操作手段はレリーズボタンであって、
前記第１の撮影モードは、前記レリーズボタンが押下されることにより撮影準備指示または撮影指示を受け付けることを特徴とする請求項１または２に記載の撮像装置。
【請求項４】
前記通信デバイスは前記記録媒体に内蔵されていることを特徴とする請求項１乃至３のいずれか１項に記載の撮像装置。
【請求項５】
前記記録媒体は前記撮像装置に着脱可能であることを特徴とする請求項４に記載の撮像装置。
【請求項６】
前記第２の撮影モードでは、前記撮影モード設定手段により第２の撮影モードに移行したことに応じて、自動的に前記撮像手段による動画撮影が開始されることを特徴とする請求項１乃至５のいずれか１項に記載の撮像装置。
【請求項７】
前記第２の撮影モードにおいて前記操作手段による撮影準備指示または撮影指示を受け付けた場合、前記記録手段は、前記自動的に開始された撮影により得られた動画データのうち、所定の時間の動画データを前記記録媒体に記録することを特徴とする請求項６に記載の撮像装置。
【請求項８】
前記所定の時間の動画データは、前記撮影準備指示または撮影指示を受け付ける前に撮影された動画データであることを特徴とする請求項７に記載の撮像装置。
【請求項９】
前記所定の時間の動画データとして用いられる動画データは、前記撮影準備指示または撮影指示のタイミングに基づき決定されることを特徴とする請求項８に記載の撮像装置。
【請求項１０】
ユーザ操作に基づき前記通信機能を有効にするためのメニューを表示する表示手段をさらに有し、
前記第２の撮影モードでは、前記表示手段は前記通信機能を有効にできないよう前記メニューを表示することを特徴とする請求項１乃至９のいずれか１項に記載の撮像装置。
【請求項１１】
前記撮影準備指示または撮影指示は、静止画の撮影準備指示または静止画の撮影指示であることを特徴とする請求項１乃至１０のいずれか１項に記載の撮像装置。
【請求項１２】
前記第２の撮影モードにおいて前記静止画の撮影指示を受け付けた場合、前記記録手段は、前記静止画の撮影指示に応じて得られた静止画データと、前記撮影準備指示または撮影指示を受け付けつけることなく開始された撮影により得られた動画データの少なくとも一部とを前記記録媒体に記録することを特徴とする請求項１１に記載の撮像装置。
【請求項１３】
前記第１の撮影モードで撮影された複数の動画データは、各撮影に対応した複数の動画ファイルとして記録され、
前記第２の撮影モードで前記撮影準備指示または撮影指示を受け付けつけることなく撮影された複数の動画データのうち少なくとも一部は、１つの動画ファイルとして記録されることを特徴とする請求項１乃至１２のいずれか１項に記載の撮像装置。
【請求項１４】
外部装置に画像データを送信する通信デバイスを制御することが可能な撮像装置の制御方法であって、
撮影モードを設定する撮影モード設定工程と、
前記撮影モードに基づき被写体を撮影し、画像データを得る撮像工程と、
前記撮像工程で得られた画像データを記録媒体に記録する記録工程と、
ユーザから、撮影準備指示または撮影指示を受け付ける操作工程と、
前記撮影モード設定工程で、前記操作工程による操作に応じて前記撮像工程での撮影を開始する第１の撮影モードが設定されている場合、前記操作工程にて撮影準備指示または撮影指示を受け付けたことに応じて前記通信デバイスの通信機能を無効にするよう制御する工程と、
前記撮影モード設定工程により、前記操作工程による撮影準備指示または撮影指示を受け付けつけることなく前記撮像工程での撮影を開始する第２の撮影モードが設定されている場合、前記第２の撮影モードに移行したことに応じて前記通信デバイスの通信機能を無効にするよう制御する工程とを有する撮像装置の制御方法。
【請求項１５】
撮像装置を、請求項１乃至１３のいずれか１項に記載の撮像装置の各手段として機能させるためのコンピュータが読み取り可能なプログラム。
【発明の詳細な説明】
【技術分野】
【０００１】
本発明は、ファイルの送信処理を制御可能な撮像装置に関する。
【背景技術】
【０００２】
近年、無線通信機能を内蔵したデジタルカメラや、無線通信機能を搭載した記録メディアが登場している。これらの機器を利用すれば、デジタルカメラで撮影された画像ファイルを即座にＰＣに送信することも可能となる。
【０００３】
しかしながら、撮影と無線通信を並行して行うと、通信のノイズが撮影画像に影響を及ぼす可能性がある。このような課題に鑑みて、画像または音声の取り込みから記録までの期間は無線の搬送波の生成を停止させる電子カメラが知られている（特許文献１）。
【先行技術文献】
【特許文献】
【０００４】
【特許文献１】特開２００１−１１１８８３号公報
【発明の概要】
【発明が解決しようとする課題】
【０００５】
特許文献１に記載の電子カメラは、レリーズスイッチが押下されたタイミングで無線を停止している。しかしながら、一般に撮像装置は様々な撮影・記録モードを有しており、モードによっては必ずしもレリーズスイッチが押下されたタイミングで無線を停止するのは適切とは限らない。
【０００６】
そこで本発明では、撮像装置の動作状態に応じた適切なタイミングで無線を停止し、画像や音声へのノイズ混入を防止することを目的とする。
【課題を解決するための手段】
【０００７】
上記課題を解決するために、本発明に係る撮像装置は、外部装置に画像データを送信する通信デバイスを制御することが可能な撮像装置であって、撮影モードを設定する撮影モード設定手段と、前記撮影モードに基づき被写体を撮影し、画像データを得る撮像手段と、前記撮像手段により得られた画像データを記録媒体に記録する記録手段と、ユーザから、撮影準備指示または撮影指示を受け付ける操作手段と、前記通信デバイスの通信機能を制御する制御手段とを有し、前記撮影モード設定手段により、前記操作手段による操作に応じて前記撮像手段による撮影を開始する第１の撮影モードが設定されている場合、前記制御手段は、前記操作手段により撮影準備指示または撮影指示を受け付けたことに応じて前記通信デバイスの通信機能を無効にするよう制御し、前記撮影モード設定手段により、前記操作手段による撮影準備指示または撮影指示を受け付けつけることなく前記撮像手段による撮影を開始する第２の撮影モードが設定されている場合、前記制御手段は、前記第２の撮影モードに移行したことに応じて前記通信デバイスの通信機能を無効にするよう制御することを特徴とする撮像装置。
【発明の効果】
【０００８】
撮像装置の動作状態に応じた適切なタイミングで無線を停止し、画像や音声へのノイズ混入を防止することを目的とする。
【図面の簡単な説明】
【０００９】
【図１】デジタルカメラの構成を示すブロック図である。
【図２】無線記録メディアの構成を示すブロック図である。
【図３】デジタルカメラの処理手順を示すフローチャートである。
【図４】（Ａ）デジタルカメラの処理手順を示すフローチャートである。（Ｂ）デジタルカメラの処理手順を示すフローチャートである。
【図５】（Ａ）デジタルカメラの処理手順を示すフローチャートである。（Ｂ）デジタルカメラの処理手順を示すフローチャートである。
【図６】デジタルカメラのムービーダイジェストモードにおける動作を示す図である。
【図７】デジタルカメラの表示画面を示す図である。
【発明を実施するための形態】
【００１０】
＜第１の実施形態＞
以下、この発明の実施の形態について図を参照して説明するが、この発明は以下の実施の形態に限定されない。また、種々の実施形態は適宜組み合わせてもよい。
【００１１】
［デジタルカメラの構成について］
以下の説明では、撮像装置の一例として静止画や動画が撮影可能なデジタルカメラについて説明する。なお、いわゆるカメラ付き携帯電話も撮像装置の一例である。
【００１２】
図１は、本実施形態に係るデジタルカメラ１００の構成を示すブロック図である。
【００１３】
制御部１０１は、例えば、ＣＰＵ（ＭＰＵ）、メモリ（ＤＲＡＭ、ＳＲＡＭ）などからなり、各種処理（プログラム）を実行してデジタルカメラ１００の各ブロックを制御したり、各ブロック間でのデータ送信を制御したりする。また制御部１０１は、ユーザからの操作を受け付ける操作部１０２からの操作信号に応じて、デジタルカメラ１００の各ブロックを制御する。
【００１４】
操作部１０２は、例えば、電源ボタン、ズーム調整ボタン、オートフォーカスボタンなどの撮影に関連する各種操作を入力するスイッチ類からなる。また、メニュー表示ボタン、決定ボタン、その他カーソルキー、ポインティングデバイス、タッチパネル等で構成することが可能であり、ユーザによりこれらのキーやボタンが操作されると制御部１０１に操作信号を送信する。さらに操作部１０２はレリーズボタンを含み、レリーズボタンはいわゆる半押し状態で押下されるＳＷ１と、いわゆる全押し状態で押下されるＳＷ２とから構成される。ＳＷ１の押下により撮影準備指示が出力され、ＳＷ２の押下により撮影指示が出力される。なお、本実施形態では、静止画撮影のためのレリーズボタンと動画撮影のためのレリーズボタンは共用しているが、別のボタンとすることも可能である。
【００１５】
バス１０３は、各種データ、制御信号、指示信号などをデジタルカメラ１００の各ブロックに送るための汎用バスである。
【００１６】
撮像部１１０は、レンズにより取り込まれた被写体の光学像を、絞りにより光量を制御して、ＣＣＤセンサやＣＭＯＳセンサ等の撮像素子により画像信号に変換する。
【００１７】
また、音声入力部１２０は、例えば、内蔵された無指向性のマイクまたは音声入力端子を介して接続された外部マイク等により、デジタルカメラ１００の周囲の音声を集音する。
【００１８】
メモリ１０４は例えばＲＡＭやフラッシュメモリであって、画像信号及び音声信号などを一時的に記録する。
【００１９】
記録媒体１４１は、デジタルカメラ１００に接続可能な記録媒体である。記録媒体１４１は、デジタルカメラ１００で生成した各種データなどを記録することができる。記録媒体１４１の例としては、例えばハードディスク、光ディスク、フラッシュメモリなどがあげられる。本実施形態では、いわゆるメモリカードと呼ばれるデジタルカメラ１００に装着可能なフラッシュメモリ装置を例に説明する。
【００２０】
音声出力部１５１は、例えば音声出力端子からなり、接続されたイヤホンやスピーカなどから音声を出力させるために音声信号を送信する。また、音声出力部１５１は、デジタルカメラ１００に内蔵されてもよい。
【００２１】
映像出力部１５０は、例えば映像出力端子からなり、接続された外部ディスプレイ等に映像を表示させるために画像信号を送信する。また、音声出力部１５１、映像出力部１５０は、統合された１つの端子、例えばＨＤＭＩ（登録商標）端子のような端子であってもよい。
【００２２】
通信部１５２は、ＲＳ２３２Ｃ、ＵＳＢ、ＩＥＥＥ１３９４、Ｐ１２８４、ＳＣＳＩ、モデム、ＬＡＮ、無線通信などにより、外部機器との間でシリアルまたはパラレル通信によるデータの送受信を有線または無線で行う。
【００２３】
表示部１３０は、記録媒体１４１に記録された画像データや各種メニューなどのＧＵＩを表示する。表示部１３０は例えば、液晶ディスプレイ、有機ＥＬディスプレイ等を用いることができる。
【００２４】
［デジタルカメラの撮影モードについて］
ここで、本実施形態のデジタルカメラ１００の撮影モードについて説明する。
【００２５】
本実施形態のデジタルカメラ１００は動作モードとして、静止画モード、通常動画モード、ムービーダイジェストモードを有する。これらの撮影モード設定は、操作部１０２やメニュー操作などで行うことが可能である。以下、これらの撮影モードについて説明する。もちろん、デジタルカメラ１００の撮影モードを上記の３種類以外に設けても構わない。
【００２６】
まず、静止画撮影モードについて説明する。静止画撮影モードは、レリーズボタン（ＳＷ２）の押下に応じて被写体の撮影を行うモードである。具体的には制御部１０１はレリーズボタン（ＳＷ２）の押下を検知すると、静止画撮影を行い、静止画データを得る。そして、得られた静止画データを画像ファイルとして記録媒体１４１に記録する。これが静止画撮影モードの基本的な動作である。
【００２７】
次に、通常動画モードについて説明する。通常動画モードでは、制御部１０１はレリーズボタン（ＳＷ２）の押下を検知すると、動画撮影を開始する。デジタルカメラ１００は何の操作もない間は動画撮影を継続し、レリーズボタン（ＳＷ２）の押下を再度検知したことに応じて動画撮影を終了する。動画撮影が終了すると、制御部１０１は得られた動画データを画像ファイルとして記録媒体１４１に記録する。これが通常動画モードの基本的な動作である。
【００２８】
次に、ムービーダイジェストモードについて説明する。
【００２９】
ムービーダイジェストモードが他の撮影モードと比較して特徴的なのは、レリーズボタンが押下される前に動画の撮影を開始し、撮影された動画データを動画ファイルとして記録媒体１４１に記録する点である。
【００３０】
デジタルカメラ１００がムービーダイジェストモードに遷移すると、制御部１０１はレリーズボタンの押下を待つことなく動画撮影を開始する。撮影された動画は所定の時間（本実施形態では４秒間）メモリ１０４に記録される。このムービーダイジェストモードの動作を、図６（ａ）−（ｃ）を用いて説明する。まず、ムービーダイジェストモードに遷移することに応じて、動画撮影が開始され、まず４秒分の動画データＭ１がメモリ１０４に記録される。さらに動画撮影は継続され、次の動画データＭ２の生成が開始されると、既にメモリ１０４に記録されているＭ１を破棄し、Ｍ２がメモリ１０４に記録されていく。そして、Ｍ２が４秒分撮影されると、Ｍ２は破棄され、次の動画データＭ３が記録されていく。
【００３１】
ここで、Ｍ３がメモリ１０４に記録されているタイミングでレリーズボタンが押下された場合（レリーズ１）を考える。この場合、デジタルカメラ１００は静止画Ｐ１を撮影し、新たな静止画ファイルとして記録媒体１４１に記録する。さらにデジタルカメラ１００は、その時点でメモリ１０４に記録されていた最新の動画データＭ３を「ダイジェスト動画ファイル」として記録媒体１４１に記録する。つまり、レリーズボタンの押下に応じて、Ｐ１に対応する静止画ファイルと、Ｍ３に対応する動画ファイルが記録されることになる。この時点の状態を示したのが図６（ａ）である。なお、Ｍ１が４秒分撮影される前にレリーズボタンが押下された場合は、現在撮影されている分（例えば２秒分）のＭ１がダイジェスト動画ファイルとして記録媒体１４１に記録される。
【００３２】
静止画Ｐ１の撮影が終了すると、デジタルカメラ１００は動画撮影を継続し、Ｍ４、Ｍ５と動画データをメモリ１０４に記録していく。
【００３３】
そして、Ｍ５がメモリ１０４に記録されているタイミングでレリーズボタンが押下された場合（レリーズ２）、デジタルカメラ１００は静止画Ｐ２を撮影し、新たな静止画ファイルとして記録媒体１４１に記録する。さらにデジタルカメラ１００は、その時点でメモリ１０４に記録されていた最新の動画データＭ５を、既に作成されているダイジェスト動画ファイルに追記する。つまり、ダイジェスト動画ファイルは、Ｍ３とＭ５がつながった１つの動画ファイルとなる。この時点の状態を示したのが図６（ｂ）である。
【００３４】
静止画Ｐ２の撮影が終了すると、デジタルカメラ１００は動画撮影を継続し、Ｍ６、Ｍ７、Ｍ８、Ｍ９と動画データをメモリ１０４に記録していく。
【００３５】
そして、Ｍ９がメモリ１０４に記録されているタイミングでレリーズボタンが押下された場合（レリーズ３）、デジタルカメラ１００は静止画Ｐ３を撮影し、静止画ファイルとして記録媒体１４１に記録する。さらにデジタルカメラ１００は、その時点でメモリ１０４に記録されていた最新の動画データＭ９を、既に作成されているダイジェスト動画ファイルに追記する。つまり、ダイジェスト動画ファイルは、Ｍ３とＭ５、Ｍ９がつながった１つの動画ファイルとなる。この時点の状態を示したのが図６（ｃ）である。
【００３６】
ここで、上記のように得られるダイジェスト動画ファイルについて説明する。Ｍ３、Ｍ５、Ｍ９がつながったダイジェスト動画ファイルは、それぞれ静止画Ｐ１、Ｐ２、Ｐ３を撮影したタイミングの周辺の動画データをつなげたものである。一般に、静止画を撮影するタイミングは、撮影者にとって重要な瞬間であることが多い。つまり、静止画撮影の直前の数秒の動画データであるＭ３、Ｍ５、Ｍ９は、重要な瞬間に至るまでの映像が記録されている、価値の高い映像である可能性が高い。そこで本実施形態のムービーダイジェストモードでは、これらの動画データをつなげることにより、ダイジェスト動画データを作成することとした。このダイジェスト動画データを再生すると、Ｍ３、Ｍ５、Ｍ９が連続して再生される。このように再生される映像は、イベントなどにおける重要なシーンを集めた、いわばダイジェストを示すものなる可能性が高い。つまりユーザは、撮影モードをムービーダイジェストモードに切り替え、レリーズボタンを押下して静止画撮影を行うだけで、ダイジェスト動画ファイルを得ることができる。以上がムービーダイジェストモードの説明である。
【００３７】
［無線記録メディアの構成について］
次に、通信デバイスの一例である、無線通信機能を有する記録メディアについて説明する。本実施形態におけるデジタルカメラ１００は、記録媒体１４１として無線通信機能を有する記録メディア（以下、「無線記録メディア」）を装着することにより、撮影した画像データを外部に送信させることが可能となる。以下、無線記録メディアの構成について、図２を用いて説明する。
【００３８】
無線記録メディア２００は、コネクタ２０１、マイコン２０２、無線回路部２０３、メモリ回路部２０４、を構成要素としている。
【００３９】
コネクタ２０１は、無線記録メディア２００とデジタルカメラ１００、あるいは、その他の情報処理装置などとの接続を行い、データの受け渡しを行うインターフェイスである。このコネクタ２０１によって無線記録メディア２００とデジタルカメラ１００とが物理的・電気的に接続される。
【００４０】
無線記録メディア２００がデジタルカメラ１００に装着されると、無線記録メディア２００は電源ラインを介してデジタルカメラ１００から電力の供給を受け、デジタルカメラ１００と通信を行う。無線回路部２０３は、無線によって他の装置とデータの送受信を行う機能を備えている。本実施形態では、無線回路部２０３は無線ＬＡＮによる無線通信を行う。なお、無線通信の種類は無線ＬＡＮなどに限定されず、Ｂｌｕｅｔｏｏｔｈ（登録商標）や赤外線通信、近接無線通信などを用いてもよい。
【００４１】
メモリ回路部２０４は、ＥＥＰＲＯＭやフラッシュ型ＥＥＰＲＯＭなどの書き換え可能な不揮発性メモリ素子で構成され、コネクタ２０１で接続された電子機器から供給されるデータを記録する。本実施形態におけるメモリ回路部２０４は数ギガの記録容量を有するため、無線記録メディア２００はいわゆるメモリカードとして使用することも可能である。
【００４２】
マイコン２０２は、内部にメモリを備え、このメモリに予め格納された制御手順により、コネクタ２０１を介して接続されたデジタルカメラ１００などの電子機器との通信の制御、無線回路部２０３の制御、メモリ回路部２０４の制御を行う。
【００４３】
なお、本実施形態における画像の送信処理は、デジタルカメラ１００の記録媒体１４１として装着された無線記録メディア２００と、送信先の外部装置であるパーソナルコンピュータ（以下、ＰＣという）とが無線で通信することで実現される。この際、無線記録メディア２００とＰＣは必ずしも直接通信する必要はなく、無線アクセスポイントなどを介しても構わない。
【００４４】
［無線記録メディアの動作について］
ここで、無線記録メディア２００の基本的な動作について説明する。まず、デジタルカメラ１００が撮影処理を行うと、記録媒体１４１として装着された無線記録メディア２００のメモリ回路部２０４に画像ファイルが記録される。
【００４５】
無線記録メディア２００のマイコン２０２は、メモリ回路部２０４に送信可能な画像ファイルが保存されていることを検知すると、あらかじめメモリ回路部２０４に登録されている通信相手（ＰＣやアクセスポイント）と通信を確立する。そして、通信が確立すると、画像ファイルをＰＣに送信する。なお、送信可能なファイルか否かは、記録された画像ファイルの形式をマイコン２０２が参照することで判断される。
【００４６】
無線記録メディア２００は上記のような動作を行うため、無線記録メディアを装着したデジタルカメラ１００で撮影を行うと、得られた画像ファイルは自動的に無線記録メディア２００によりＰＣに送信されることになる。
【００４７】
なお、ユーザが意図しない自動送信を防止するため、本実施形態のデジタルカメラ１００は、通信設定として無線記録メディア２００の無線通信機能の有効／無効を設定することができる。具体的には、制御部１０１から無線記録メディア２００に無線通信機能の有効／無効を指示する。マイコン２０２は無効の指示を受けた場合、無線回路部２０３の動作を停止する。ここでいう停止とは、無線回路部２０３への電力供給を停止するよう制御してもよいし、無線回路部２０３への電力供給は維持しつつ、電波の送出が行われないよう制御してもよい。このように設定された通信設定はメモリ回路部２０４に保持される。なお、この通信設定はユーザがメニューなどから設定できる他、所定の条件を満たした場合に制御部１０１が自動的に通信設定を変更することも可能である。
【００４８】
［デジタルカメラの基本動作］
図３は、デジタルカメラ１００の基本動作を示すフローチャートである。このフローチャートは、操作部１０２に含まれる電源ボタンが押下されたことを制御部１０１が検知したことに応じて開始される。なお、このフローチャートが示す処理は、各部からの入力信号やプログラムにしたがって、制御部１０１がデジタルカメラ１００の各部を制御することにより実現される。特に断らない限り、他のフローチャートが示す処理についても同様である。
【００４９】
まず、Ｓ３０１において、制御部１０１はデジタルカメラ１００の初期化処理を実行する。初期化処理では、記録媒体１４１の装着の有無をチェックしたり、撮影準備のために鏡筒を駆動したりする。
【００５０】
Ｓ３０２において、制御部１０１は現在の撮影モードを判断する。本実施形態におけるデジタルカメラ１００は、前回の電源オフ時に設定されていた撮影モードを保持しておき、電源をオンした際の初期モードとする。初期モードが静止画モードと判断した場合には処理をＳ３０３に、通常動画モードと判断した場合には処理をＳ３０３に、ムービーダイジェストモードと判断した場合には処理をＳ３０５に進める。Ｓ３０３〜Ｓ３０５では、各撮影モードに応じた処理を実行する。なお、原則として操作部１０２による撮影モード切替えの操作は割り込み処理として認識される。したがって、各撮影モードにおける動作中に撮影モードの切り替え操作を検出した場合、制御部１０１は割り込み処理としてＳ３０２の処理を実行することになる。以下、各撮影モードにおける処理を説明する。
【００５１】
［通常動画モードにおける処理］
まず、第１の撮影モードの一例である通常動画モードにおける処理について、図４Ａ、Ｂを参照して説明する。
【００５２】
Ｓ４０１において、制御部１０１は、操作部１０２のレリーズボタン（ＳＷ１）が押下されたか否かを判断する。ユーザ操作によって操作部１０２のレリーズボタン（ＳＷ１）が押下されたと判断した場合はＳ４０２に進む。そうでない場合は、レリーズボタン（ＳＷ１）が押下されるまで待機する。
【００５３】
Ｓ４０３において、制御部１０１は、デジタルカメラ１００に無線記録メディア２００が装着されているかを判断する。無線記録メディア２００が装着されていると判断した場合はＳ４０３に進む。装着されていないと判断した場合はＳ４０５に進む。無線記録メディアが装着されているか否かは、制御部１００１が無線記録メディア２００のメディア情報を参照することにより判断できる。
【００５４】
Ｓ４０３において、制御部１０１は、無線記録メディア２００の現在の通信設定を確認し、通信設定が有効であるか否かを判断する。具体的には、制御部１０１が無線記録メディア２００に問合せを送信し、マイコン２０２は問合せの内容に即してデジタルカメラ１００に返答を行う。この返答を参照することで、制御部１０１は通信設定を確認することができる。通信設定が有効であると判断した場合はＳ４０４に進む。通信設定が無効であると判断した場合はＳ４０５に進む。
【００５５】
Ｓ４０４において、制御部１０１は、無線記録メディア２００に対して通信設定を無効にするよう指示する。この指示に応じて、無線記録メディア２００は無線回路部２０３を停止することになる。なお、制御部１０１はこの指示を送信してからの時間をカウントする。
【００５６】
Ｓ４０５において、制御部１０１は、ＡＥ（オートエクスポージャー）／ＡＦ（オートフォーカス）を行う。
【００５７】
Ｓ４０６において、制御部１０１は、無線記録メディア２００において通信設定を無効にする処理が完了したか否かを判断する。無線記録メディア２００は、ステップＳ４０４の指示に応じて通信設定を無効にした場合、結果をデジタルカメラ１００に返答する。つまり、制御部１０１はこの返答を確認することで、通信設定を無効にする処理が完了したか否かを判断することができる。無効にする処理が完了したと判断した場合はＳ４０９へ進む。通信設定を無効にする処理を完了したと判断できない場合は、Ｓ４０７に進む。
【００５８】
なお、通信設定が無効となると、無線記録メディア２００と通信先との無線通信は切断され、画像ファイルの送信を行わなくなる。
【００５９】
Ｓ４０７において、制御部１０１は、カウントしていた時間を参照し、予め設定したスレッショルド値Ｍ秒を超過したか否かを判断する。Ｍ秒を超過したと判断した場合、Ｓ４０８に進む。そうでない場合、Ｓ４０６に戻る。
【００６０】
Ｓ４０８において、制御部１０１は無線記録メディア２００または伝送路の異常と判断し、デジタルカメラ１００から無線記録メディア２００の制御ができない旨の警告を表示部１３０に表示する。
【００６１】
Ｓ４０９において、制御部１０１は、Ｓ４０５で実行したＡＦの結果を示すフォーカス枠を表示する。図７（ａ）に表示の一例を示す。デジタルカメラ１００の表示部１３０に、フォーカス枠７０１がスルー画像に重畳して表示される。また、図７（ａ）では、Ｓ４０８で表示される警告メッセージ７０２も示している。当然ながら、Ｓ４０６の処理にて通信設定の無効処理の完了を正常に検知できた場合は、メッセージは表示しない。なお、Ｓ４０１にてレリーズボタンがＳＷ１、ＳＷ２と段階的に押下されず、ＳＷ２まで一気に押下された場合は、フォーカス枠７０１や警告メッセージ７０２の表示は行わず、Ｓ４１１の動画撮影を実行する。
【００６２】
Ｓ４１９において、制御部１０１は、操作部１０２のレリーズボタン（ＳＷ１）の押下が解除されたか否かを判断する。解除されたと判定された場合は処理をＳ４０１に戻し、レリーズボタン（ＳＷ１）の押下を再度待機する。解除されていないと判断した場合はＳ４１０に進む。
【００６３】
Ｓ４１０において、制御部１０１は、操作部１０２のレリーズボタン（ＳＷ２）が押下されたか否かを判断する。押下されたと判断した場合はＳ４１１に進む。そうでない場合は、Ｓ４１９に戻る。このレリーズボタン（ＳＷ２）の押下により、動画データを撮影して記録する一連の処理が開始されることになる。
【００６４】
Ｓ４１１において、制御部１０１は撮像部１１０を制御し、動画撮影を行う。
【００６５】
Ｓ４１２において、制御部１０１は、撮影された動画データを順次メモリ１０４に記録する処理を行う。
【００６６】
Ｓ４１３において、制御部１０１は、メモリ１０４に記録された動画データを、記録媒体１４１に動画ファイルとして記録する。この際、動画ファイルには撮影日時等の属性情報が付加される。なお、無線記録メディア２００または伝送路の異常などにより、通信設定を無効にできずに撮影された場合は、その旨示す属性情報も付加する。この属性情報には、例えばフラグを用いることが可能である。具体的には、制御部１０１は、通信設定が正常に無効となっている場合は０、そうでない場合は１という属性情報を、動画ファイルの所定の領域に書き込む。
【００６７】
なお、通信設定を無効にしないまま撮影が行われていた旨の表示は、撮影モードのみならず、再生モードで画像データを表示する際にも行われる。図７の（ｂ）にその一例を示す。この例でも、画像データに重畳して警告メッセージ７０３が表示される。
【００６８】
Ｓ４１４において、制御部１０１は、操作部１０２のレリーズボタン（ＳＷ２）が押下されたか否か、つまり動画撮影の終了指示がなされたかを判断する。レリーズボタン（ＳＷ２）が押下されたと判断した場合は、Ｓ４１５に進む。そうでない場合は、レリーズボタン（ＳＷ２）が押下されるまでＳ４１１〜Ｓ４１３の動画撮影を続ける。
【００６９】
Ｓ４１５において、制御部１０１は、動画撮影を停止する。制御部１０１は撮影を停止し、記録した動画ファイルをファイナライズする。
【００７０】
Ｓ４１６において、制御部１０１は、無線記録メディア２００が装着されているかを判断する。無線記録メディア２００が装着されていると判断した場合はＳ４１７に進む。そうでない場合は、処理をＳ４０１に戻す。
【００７１】
Ｓ４１７において、制御部１０１は、無線記録メディア２００の現在の通信状態を確認し、通信設定が無効であるか否かの判定を行う。通信設定が無効である場合はＳ４１８に進む。通信設定が有効であった場合は処理をＳ４０１に戻す。
【００７２】
Ｓ４１８において、制御部１０１は、無線記録メディア２００の通信設定を有効にし、無線記録メディア２００での送信が再開されるよう制御する。
【００７３】
以上が、通常動画モードの動作である。ここまで説明したように、デジタルカメラ１００は、通常動画モードではレリーズボタン（ＳＷ１）が押下されて撮影準備が開始された場合に通信設定を無効にする。そして、レリーズボタン（ＳＷ２）が押下されて動画撮影が終了し、動画ファイルの無線記録メディア２００への記録が完了した場合に通信設定を有効に戻す。このようにすることで、動画撮影及び記録の間は無線記録メディア２００の無線回路部２０３が停止することになるため、撮影・記録した動画データに無線の電波に起因するノイズが混入することを防止することが可能となる。また、通常動画モードへの移行後、レリーズボタン（ＳＷ１）が押下されて撮影準備が開始されるまでは通信設定を有効にしておくことで、なるべく無線記録メディア２００が通信可能な時間を増やし、より多くの画像データを送信することが可能となる。なお、本実施形態ではレリーズボタン（ＳＷ１）が押下されたタイミングで無線回路部２０３を停止させたが、無線回路部２０３を停止させるまでの処理が十分早い場合はレリーズボタン（ＳＷ２）のタイミングで無線回路部２０３を停止させてもよい。
【００７４】
［静止画モードにおける処理］
次に、静止画モードにおける処理について説明する。静止画モードの場合も、基本的には通常動画モードと同様の処理を行う。具体的には、制御部１０１はＳＷ１の押下に応じて無線記録メディア２００の通信設定を無効にする。そして、ＳＷ２が押下されて静止画データが撮影されると、制御部１０１は無線記録メディア２００への静止画ファイルの記録状態を監視する。そして、無線記録メディア２００への静止画ファイルの記録が完了したと判断した後、無線記録メディア２００の通信設定を有効にする。このようにすることで、通常動画モードの場合と同様、動画撮影中は無線記録メディア２００の無線回路部２０３を停止させることが可能となる。
【００７５】
［ムービーダイジェストモードにおける処理］
次に、第２の撮影モードの一例であるムービーダイジェストモードにおける処理について、図５Ａ、Ｂを参照して説明する。  まず、Ｓ５０１において、制御部１０１は、デジタルカメラ１００に無線記録メディア２００が装着されているか判断する。無線記録メディア２００が装着されていると判断した場合はＳ５０２に進む。装着されていないと判断した場合はＳ５０７に進む。
【００７６】
Ｓ５０２において、制御部１０１は、制御部１０１は、無線記録メディア２００の現在の通信設定を確認し、通信設定が有効であるか否かを判断する。通信設定が有効である場合はＳ５０３に進む。通信設定が無効である場合はＳ５０７に進む。  Ｓ５０３において、制御部１０１は、無線記録メディア２００に対して、通信設定を無効にするよう指示する。この指示に応じて、無線記録メディア２００は無線回路部２０３を停止することになる。なお、制御部１０１はこの指示を送信してからの時間をカウントする。
【００７７】
Ｓ５０４において、制御部１０１は、無線記録メディア２００の通信設定の無効処理が完了したか否かを判断する。完了したと判断した場合、Ｓ５０７に進む。通信設定の無効処理が完了していないと判断した場合は、Ｓ５０５に進む。
【００７８】
Ｓ５０５において、制御部１０１は、カウントしていた時間を参照し、予め設定したスレッショルド値Ｌ秒を超過したか否かを判断する。Ｌ秒を超過したと判断した場合、Ｓ５０６に進む。超過していないと判断した場合はＳ５０４に戻る。  Ｓ５０６において、制御部１０１は、図４ＡのＳ４０８と同様、デジタルカメラ１００から無線記録メディア２００の制御ができない旨の警告を表示部１３０に表示する。
【００７９】
Ｓ５０７において、制御部１０１は動画データの撮影を開始し、撮影された動画データを順次メモリ１０４に記録していく。なお、Ｓ５０７における撮影を開始するには、図４Ａ、Ｂの処理のようなレリーズボタンの操作は特に必要ない。つまり、ユーザは撮影モードとしてムービーダイジェストモードを選択する操作を行えば、自動的に動画の撮影及び記録（図６（ａ）でいえばＭ１、Ｍ２・・・の撮影）が開始されることになる。
【００８０】
Ｓ５０８において、制御部１０１は、メモリ１０４に所定時間Ｈ、本実施形態では４秒以上の動画が記録されているかを判断する。４秒以上と判断した場合はＳ５０９へ進み、４秒未満と判定した場合はＳ５１０に進む。所定時間Ｈは予め定められており、その値は所定時間Ｈに撮影される動画データのサイズがメモリ１０４の容量を超えないよう設定される。
【００８１】
Ｓ５０９において、制御部１０１は、新たな動画データを記録する代わりに、メモリ１０４に現在記録されている動画データを、古い順に破棄していく。つまり、メモリ１０４に４秒分の動画データが蓄積されたら破棄し、また４秒分蓄積されたら破棄する、という処理を繰り返す。つまり本実施形態では、メモリ１０４に最新の動画データが最大で４秒分記録されていることとなる。
【００８２】
Ｓ５１０において、制御部１０１は、操作部１０２のレリーズボタン（ＳＷ２）が押下されたか否かを判断する。本実施形態におけるムービーダイジェストモードでのレリーズボタン（ＳＷ２）の押下は、静止画撮影の指示を意味する。押下されたと判断した場合はＳ５１１に進む。押下されていないと判断した場合はＳ５０７に進み、動画撮影を続行する。このレリーズボタン（ＳＷ２）の押下は図６ではレリーズ１、２、３に相当する。
【００８３】
Ｓ５１１において、制御部１０１は、Ｓ５０７にてメモリ１０４に記録された動画データが、記録媒体１４１へ書き込み可能か否かを判断する。具体的には、メモリ１０４に記録された動画データのサイズと、記録媒体１４１の空き容量から後述のＳ５１５にて撮影される静止画の見積もり容量を引いた容量とを比較し判断する。なお、メモリ１０４に保存された動画データが所定の秒数に満たない（例えばメモリ１０４に１秒以下しか保存されていない）場合に書き込み不可と判断してもよい。制御部１０１が書き込み可能と判断した場合はＳ５１２に進み、書き込み不可と判断した場合はＳ５１４に進む。
【００８４】
Ｓ５１２において、制御部１０１は、記録媒体１４１に記録されているダイジェスト動画に、メモリ１０４に記録された動画データが追記可能か否かを判断する。なお、ダイジェスト動画が記録媒体１４１に記録されていない場合はＳ５１４に進むものとする。なお、追記可能か否かの判断基準は以下の通りである。
・追記先の動画ファイルが保護属性である場合
・追記後のファイルサイズが記録媒体１４１のファイルシステムの上限のデータサイズを越える場合・
・追記先の動画ファイルがＧＯＰ（Ｇｒｏｕｐ  ｏｆ  ｐｉｃｔｕｒｅ）単位でない場合
・追記先の動画ファイルの撮影日情報が、現在の日付と異なる場合
・追記先の動画ファイルの地域設定情報が、現在デジタルカメラ１００に設定された地域と異なる場合
・追記先の動画ファイルの撮影機種情報と、デジタルカメラ１００の機種が異なる場合
・追記先の動画ファイルとメモリ１０４に記録されている動画データで、フレームレート、画素数、圧縮方法、音声のサンプリングレートやチャンネル数、ビット深度のいずれかが異なる場合
・データが壊れていると判断された場合。
【００８５】
上記のいずれにも該当しない場合、制御部１０１は追記可能と判断する。上記のいずれかに該当する場合、制御部１０１は追記不可と判断する。追記可能と判断した場合はＳ５１３に進み、追記不可と判定した場合はＳ５１４に進む。
【００８６】
Ｓ５１３において、制御部１０１は、記録媒体１４１に記録されているダイジェスト動画に対し、メモリ１０４に記録された動画データを追記し、Ｓ５１５に進む。この処理が、図６においてＭ３にＭ５を、そしてＭ９を追記する処理に相当する。
【００８７】
Ｓ５１４において、制御部１０１は、メモリ１０４に記録された動画データを、新たに単独のダイジェスト動画として記録媒体１４１に新規保存し、Ｓ５１５に進む。
【００８８】
Ｓ５１５において、制御部１０１は、静止画撮影を行う。
【００８９】
Ｓ５１６において、制御部１０１は、撮影モードがムービーダイジェストモードから他の撮影モードに変更されたか否かを判断する。他の撮影モードに変更されたと判断した場合、Ｓ５１７に進む。そうでない場合は、Ｓ５０７に戻り、動画撮影を続ける。
【００９０】
Ｓ５１７において、制御部１０１は、動画撮影を停止し、Ｓ５１８に進む。
【００９１】
Ｓ５１８において、制御部１０１は、デジタルカメラ１００に無線記録メディア２００が装着されているかを判断する。無線記録メディア２００が装着されていることを検知した場合はＳ５１９に進む。そうでない場合は、変更後の撮影モードで動作する。
【００９２】
Ｓ５１９において、制御部１０１は、装着された無線記録メディア２００の通信設定が無効であるか否かを判断する。通信設定が無効である場合、Ｓ５２０に進む。通信設定が有効であった場合は変更後の撮影モードで動作する。
【００９３】
Ｓ５２０において、制御部１０１は、無線記録メディア２００に対して、通信設定を有効にするよう指示する。指示を受けた無線記録メディア２００は、通信を有効にする。このことにより、送信が再開される。
【００９４】
上述のように、ムービーダイジェストモードの間、無線記録メディア２００の通信設定は制御部１０１により無効とされる。したがって、この間制御部１０１は、メニューのうち、通信設定に関するものも非表示としたりグレーアウトし、ユーザが通信設定を変更できないようにする。
【００９５】
以上が、ムービーダイジェストモードの動作である。ここまで説明したように、デジタルカメラ１００は、ムービーダイジェストモードに移行すると、まず無線記録メディアの通信設定を無効にする。この点が、レリーズボタン（ＳＷ２）の押下に応じて通信設定を無効にする通常動画モードや静止画モードと大きく異なる点である。
【００９６】
ムービーダイジェストモードにおいて上記のような動作としたのは以下の理由による。すなわち、ムービーダイジェストモードでは、レリーズボタンの押下とは関係なく動画を記録し、その動画が動画ファイルとして無線記録メディア２００に記録されることになる。図６の例でいえばＭ３、Ｍ５、Ｍ９などがこれに相当する。このようなムービーダイジェストモードにおいて、レリーズボタン（ＳＷ２）の押下に応じて（図６のレリーズ１〜３のタイミング）通信設定を無効にしても、Ｍ３、Ｍ５、Ｍ９にノイズが混入することを防止することはできない。なぜなら、Ｍ３、Ｍ５、Ｍ９が撮影されるタイミングでは、通信設定が無効となっていないためである。そこで本実施形態では、レリーズボタンが押下される前から撮影されている動画データにノイズが混入することを防止するため、ムービーダイジェストモードへの移行に応じて無線記録メディアの通信設定を無効にすることとした。
【００９７】
以上述べたように、本実施形態に係るデジタルカメラ１００は、撮影モードに応じて通信設定を無効にするタイミングを異ならせる。このことにより、撮影モードの特性に合わせて適切に送信可能な期間を確保するとともに、ノイズの混入を防止することが可能となる。
【００９８】
＜他の実施形態＞
なお、本実施形態では静止画モード、通常動画モード、ム―ビーダイジェストモードを例にしたが、必ずしもこれらの撮影モードに限定されない。例えば、特定のモードにある間は、レリーズボタンの操作なしに動画データを撮影し続け、撮影後にユーザが動画データの任意の部分を指定して切り出すようなモードを考えてもよい。この場合も、撮影されたいずれの動画データも動画ファイルとして記録媒体１４１に記録される可能性がある。したがってこのようなモードを設けた場合も、第１の実施形態におけるムービーダイジェストモードと同様、モードの移行に応じて通信設定を無効にすることが望ましい。
【００９９】
また、第１の実施形態では無線記録メディアの無線回路部２０３を電波の発生源として説明したが、通信デバイスの一例である無線回路部をデジタルカメラ１００に内蔵する構成としても構わない。この場合も第１の実施形態と同様の制御を内蔵した無線回路部に対して行う。また、この場合は記録媒体１４１もデジタルカメラ１００に内蔵する構成としてもよい。
【０１００】
さらに、本実施形態では、無線記録メディア２００へのファイルの記録後に通信設定を有効に戻すこととした。しかしながら、デジタルカメラ１００の仕様によっては、撮像部１１０からメモリ１０４への伝送中に大きなノイズの影響を受け、メモリ１０４から無線記録メディア２００への伝送中はノイズの影響が小さい場合も考えられる。したがって、メモリ１０４への記録まで通信設定を無効とし、無線記録メディア２００への記録の際には通信設定を有効に戻すようにしてもよい。
【０１０１】
さらに、デジタルカメラ１００をパーソナルコンピュータ（ＰＣ）などから遠隔操作するシステムにおいても、本発明は適用可能である。この場合は、ＰＣの制御部がデジタルカメラ１００の制御部１０１に対して各種の問合せ及び制御の要求を行うことにより、図４及び図５に示す処理をＰＣからの遠隔操作で実現することが可能となる。
【０１０２】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005743579.tif 000002
【図２】
0005743579.tif 000003
【図３】
0005743579.tif 000004
【図４】
0005743579.tif 000005
【図５】
0005743579.tif 000006
【図６】
0005743579.tif 000007
【図７】
0005743579.tif 000008